(57)【要約】【課題】革新的な構造を有し、変化に富む機能をもつ実用的なヘアピンを提供する。【解決手段】ヘアピン５０の本体１は、円弧面１０及び複数の円形の孔１１を有する。本体１は一体成形される。本体１は、一端に軸座１２を設け、別端にスナップ台１３を設ける。上述のスナップ台１３はやや内側に向かって彎曲状を呈す。本体１の下表面１４は、滑らかでつやがある。ヘアピン５０で髪の毛を挟むとき、上述の本体１の孔１１に小束の髪を通す。髪の毛にヘアピン５０をつけてから、更に一つのフックピン３を利用して本体１の孔１１に入れ込み、本体１の内側にある髪の毛を引っ張り出す。これにより、手軽に髪の束を通すことができ、使用者は自由自在に髪型を作ることができる。【選択図】図３
2012011121.tif 000002
【特許請求の範囲】
【請求項１】
小束の髪を通すことが可能な複数の孔を有する本体を備えたことを特徴とするヘアピン。
【請求項２】
小束の髪を通すことが可能な複数の孔を有する本体と、
前記本体の下方に設けられる固設デバイスとを備え、
前記本体と前記固設デバイスと本体とで髪の毛が挟まれることと、前記本体の複数の孔に複数の小束の髪を通し、この複数の小束の髪の自由端が前記本体の上方に出ることを特徴とするヘアピン。
【請求項３】
前記本体の前記孔は、円形または四角形または三角形または菱形または不規則の幾何形状を特徴とする第１項に記載のヘアピン。
【請求項４】
一端に軸座を設け、他端にスナップ台を設ける前記本体と、
一端が前記軸座に回動可能に取り付けられ、他端が前記スナップ台に係止可能なる前記固設デバイスとを備えたことを特徴とするヘアピン。
【請求項５】
前記本体の下表面に複数の髪の毛柱が設置されることを特徴とする第１項に記載のヘアピン。
【請求項６】
前記本体の内側に結合デバイスを設け、更に結合デバイスに固設デバイスを設置することを特徴とする第１項に記載のヘアピン。
【請求項７】
前記固設デバイスは、一種の弾性材料により形成されることを特徴とする第１項に記載のヘアピン。
【請求項８】
前記本体と固設デバイスは一体成形され、また本体の一側にスナップデバイスを設け、このスナップデバイスに固設デバイスの一端を締付け、髪の毛と結合することを特徴とする第１項に記載のヘアピン。
【請求項９】
前記本体の下方に固定台を設け、固定台に固設デバイスを結合することを特徴とする第１項に記載のヘアピン。
【請求項１０】
前記本体の両端に軸孔を設け、両端の軸孔に軸を穿設し、また固設デバイスの両端にある穿孔に前記軸を結合することを特徴とする第１項に記載のヘアピン。
【請求項１１】
小束の髪を通すことが可能な複数の孔を有する本体を備え、前記本体にガイド穴を設け、前記孔に合わせて、髪の束が一定方向に通されることと、
固設デバイスを前記本体の下方に設け、前記固設デバイスと本体とで、髪の毛が挟まれることと、複数の小束の髪を前記本体の孔に通すことを特徴とするヘアピン。
【請求項１２】
前記本体に設けるガイド穴は、本体の上方または側辺に設けられることを特徴とする第１０項に記載のヘアピン。
【請求項１３】
前記本体に設けるガイド穴は、本体と一体成形されまたは開口が設けられることを特徴とする第１０項に記載のヘアピン。
【請求項１４】
前記本体の孔は、本体の壁から延伸孔が設けられることを特徴とする第１０項に記載のヘアピン。
【請求項１５】
前記本体の孔に設けられる延伸孔は、前記本体の孔と垂直状または水平状に設置されることを特徴とする第１2項に記載のヘアピン。
【請求項１６】
前記本体の孔に設けられる延伸孔は、前記本体の孔と連通されることを特徴とする第１2項に記載のヘアピン。
【請求項１７】
前記本体の孔は、本体の壁にスロットが形成されることを特徴とする第１0項に記載のヘアピン。
【請求項１８】
前記本体の孔は、本体の壁に複数の突体を設け、隣り合う突体の間に、クリップスロットが形成されることを特徴とする第１０項に記載のヘアピン。
【請求項１９】
小束の髪を通すことが可能な複数の孔を有する本体を備え、前記本体を利用して髪の毛が挟まれてから、複数の小束の髪を前記本体の孔に通することを特徴とするヘアピン。
【発明の詳細な説明】
【技術分野】
【０００１】
本発明は、ヘアピンに関する。
【背景技術】
【０００２】
図１に示す従来のヘアピンは、主に髪の飾り片９０の下方に一つの弾性クリップ９１を固設し、この弾性クリップ９１を利用して髪の毛を挟む。髪の飾り片９０は髪の毛の上方に位置するので、使用者は髪の飾り片９０の形状または色彩のみを利用して、装飾効果を出す。または図２に示す他の従来のヘアピンは、本体９２の形状または色彩のみを利用して、装飾目的を満たし、ヘアスタイル全体の美感が欠けている。
【０００３】
上記問題を解決するため、本発明者は長年のヘアピンの設計及び製造経験を生かし、上記の従来技術の欠点に対し、研究設計に取り組み、本案を発明した。
なお、ヘアピンは例えば、特許文献１に開示されている。
【先行技術文献】
【特許文献】
【０００４】
【特許文献１】特開２０００−３５４５１０号公報
【発明の概要】
【発明が解決しようとする課題】
【０００５】
本発明の目的は、一種の革新的な構造を有し、変化に富む機能をもつ実用的なヘアピンを提供することである。
【課題を解決するための手段】
【０００６】
上述の目的を達成するために、本発明によるヘアピンは、本体に複数の孔を設け、この複数の孔に髪の毛を通す構成を採用する。これにより、髪とヘアピンとの融合により、これまでにない髪型を作ることができる。これにより、ヘアスタイルにもたらす変化を一層多くし、髪の毛にヘアピンをつけたときの美感と実用価値を高めることができる。
【図面の簡単な説明】
【０００７】
【図１】一の従来技術の断面図である。
【図２】他の一の従来技術の斜視図である。
【図３】本発明実施例一の断面図である。
【図４】本発明実施例一の使用状態を示す斜視図である。
【図５】本発明実施例二の断面図である。
【図６】本発明実施例三の底面図である。
【図７】本発明実施例三の断面図である。
【図８】本発明実施例三の使用状態を示す斜視図である。
【図９】本発明実施例四の断面図である。
【図１０】本発明実施例五の断面図である。
【図１１】本発明実施例六の斜視図である。
【図１２】本発明実施例七の斜視図である。
【図１３】本発明実施例八の分解斜視図である。
【図１４】本発明実施例八の装着図である。
【図１５】本発明実施例六−八の装着完成図である。
【図１６】本発明実施例九の装着完成図である。
【図１７】本発明実施例十の装着完成図である。
【図１８Ａ】本発明実施例十一の鳥瞰図である。
【図１８Ｂ】本発明実施例十二の鳥瞰図である。
【図１８Ｃ】本発明実施例十三の鳥瞰図である。
【図１８Ｄ】本発明実施例十四の鳥瞰図である。
【図１８Ｅ】本発明実施例十五の鳥瞰図である。
【図１９Ａ】本発明実施例十六の断面図である。
【図１９Ｂ】本発明実施例十七の断面図である。
【図１９Ｃ】本発明実施例十八の断面図である。
【図１９Ｄ】本発明実施例十九の断面図である。
【発明を実施するための形態】
【０００８】
以下、本発明の実施例によるヘアピンを図面に基づいて説明する。
(実施例一)
図３及び図４に本発明のヘアピンによる実施例一を示す。
ヘアピン５０の本体１は、円弧面１０及び複数の円形の孔１１を有する。本体１は一体成形される。
上述の本体１は、一端に軸座１２を設け、別端にスナップ台１３を設ける。上述のスナップ台１３はやや内側に向かって彎曲状を呈す。本体１の下表面１４は、図３に示すように、滑らかでつやがある。
【０００９】
図４のように、ヘアピン５０で髪の毛を挟むとき、上述の本体１の孔１１に小束の髪を通す。髪の毛にヘアピン５０をつけてから、更に一つのフックピン３を利用して本体１の孔１１に入れ込み、本体１の内側にある髪の毛を引っ張り出す。これにより、手軽に髪の束を通すことができ、使用者は自由自在に髪型を作ることができる。
（実施例二）
図５に示す実施例二では、本体１に複数の髪の毛柱１６を設け、髪の毛柱１６を利用して毛束全体の中に挿設する。
【００１０】
固設デバイス２は、弧形状を呈し、一端に軸孔２０を設ける。この軸孔２０に上述の本体１の軸座１２が嵌る。本体２に対し固設デバイス２が回動可能に結合する。本体１の軸座１２と固設デバイス２の軸孔２０に支軸２１を穿設する。ヘアピン５１と髪の毛を固設する。上述の固設デバイス２の別端にスナップ部２２を設け、上述のスナップ部２２は上述の本体１のスナップ台１３に対応して係止可能である。これにより、ヘアピン５１による髪の毛の挟み効果を高める。
【００１１】
（実施例三）
図６〜図８に本発明のヘアピンによる実施例三を示す。
本体１には複数の孔１１を有する。本体１の内側に結合デバイス４を設け、更に結合デバイス４に固設デバイス２Ａを設置する。固設デバイス２Ａは一種の弾性材料により形成される。図７のように、この固設デバイス２Ａはボルトで結合デバイス４とポン付けデバイス４０に固定される。
図８のように、固設デバイス２Ａに髪の毛を通して髪の束を縛る。髪の毛にヘアピン５２をつけてから、更にフックピン３を利用して本体１の孔１１から小束の髪を引っ張り出す。これにより、使用者は自由自在に髪型を作ることができる。
【００１２】
（実施例四、五）
図９及び図１０に、本発明のヘアピンによる実施例四及び五を示す。
図９に示す実施例四では本体１Ｂの一側にスナップデバイス５を設ける。このスナップデバイス５に固設デバイス２Ｂの一端を締付ける。本体１Ｂと固設デバイス２Ｂは一体成形される。
前記固設デバイスと本体とで、髪の毛を挟む。
【００１３】
図１０に示す実施例五では本体１Ｃの下方に一つの固設デバイス２Ｃを設置し、固設デバイス２Ｃは本体１Ｃの下方にある固定台６と回転可能に結合する。
この固設デバイス２Ｃは本体１Ｃと共同して髪の毛を挟む。
【００１４】
ヘアピン５３、５４を利用して髪の毛を挟んでから、更にフックピン３を利用して、本体１Ｂ、１Ｃの孔１１から小束の髪を引っ張り出す。これにより、使用者は自由自在に髪型を作ることができる。
【００１５】
（実施例六、七、八）
図１１、１２、１３に、それぞれ本発明のヘアピンによる実施例六、七、八を示す。本体１Ｄ、１Ｅに複数の四角形の孔１１を設ける。
【００１６】
図１１及び図１２に示す実施例六、七の本体１Ｄは、一種の硬性材質により形成される。図１２に示す実施例七の本体１Ｄの両端に、もう一つの固設デバイス２Ｄを設置する。
【００１７】
図１３に示す実施例八の本体１Ｅは、一種の軟性材質により形成される。本体１Ｅの両端に軸孔７を設け、軸７０を穿設する。軸７０は固設デバイス２Ｅの両端にある穿孔７１と結合し、本体１Ｅと固設デバイス２Ｅを一体にする。
【００１８】
図１４、図１５のように、ヘアピン５５をつけてから、フックピン３を利用して小束の髪を四角形の孔１１から引っ張り出し、ヘアピンの上方に数本の髪の束を設ける。
これにより、特色を持つヘアスタイルのデザインになることが可能である。
【００１９】
（実施例九、十）
図１６及び図１７に示す実施例九、十では孔１１の一側にガイド穴１１Ｃを有する。
図１６及び図１７のように、ヘアピン５６、５７で髪の毛を挟むとき、孔１１に小束の髪を通す。髪の毛にヘアピン５６、５７をつけてから、一つのフックピン３を利用して本体１の孔１１に入れ込み、本体１の内側にある髪の毛を引っ張り出し、更にガイド穴１１Ｃに通す。これにより、使用者は自由自在に髪型を作ることができる。
【００２０】
（実施例十一〜十五）
図１８Ａ〜図１８Ｅに、本発明のヘアピンによる実施例十一〜十五を示す。
図１８Ａに示す実施例十一では、ヘアピン５８の本体１に四角形の孔１１を設け、孔１１に通した髪の束をガイド穴１１Ｃに通す。
ヘアピン５８をつけてから、本体１の孔１１に小束の髪を通し、更にガイド穴１１Ｃに通す。
【００２１】
図１８Ｂに示す実施例十二では、本体１の孔１１の壁１５に延伸孔１１０を設ける。延伸孔１１０と孔１１は垂直状または水平状に設置される。
図１８Ｃに示す実施例十三では、延伸孔１１０は孔１１と連通する。
髪の毛にヘアピン５９、６０をつけてから、小束の髪を延伸孔１１０に経由して、孔１１に引っ張る。またはフックピン３を利用して本体１の孔１１に入り込み、本体１内側にある髪の毛を引っ張り出す。または一部の髪の毛を延伸孔１１０に置き、更に髪の束をガイド穴１１Ｃに通す。
【００２２】
図１８Ｄに示す実施例十四では、本体１の壁１５にスロット１１Ａは直接に形成される。
ヘアピン６１をつけてから、小束の髪をスロット１１Ａに引っ張る。更に髪の束をガイド穴１１Ｃに通す。
【００２３】
図１８Ｅに示す実施例十五では、壁１５に複数の突体１５０を設ける。上述の隣り合った突体１５０の間にクリップスロット１１Ｂが形成される。
ヘアピン６２をつけてから、小束の髪をクリップスロット１１Ｂに引っ張る。更に髪の束をガイド穴１１Ｃに通す。
これにより、髪の毛を線状または交錯状に形成させ、使用者は自由自在に髪型を作ることができる。
【００２４】
（実施例十六〜十九）
図１９Ａ〜１９Ｄに実施例十六〜十九を示す。
図１９Ａ〜１９Ｃに示す孔１１の一側に円形のガイド穴１１Ｃを設ける。図１９Ａ〜１９Ｃのように、このガイド穴１１Ｃは、上述の本体１の上方に設ける。図１９Ａに示すガイド穴１１Ｃは本体と完全結合する。図１９Ｂに示すガイド穴１１Ｃは一辺に開口を設ける。図１９Ｄに示すガイド穴１１Ｃは側辺に設ける。
【００２５】
実施例一では、孔１１は円形としたが、本発明では、この孔の形状について四角形または三角形または菱形または不規則の幾何形状にしてもよい。
実施例六、七、八、十一では、孔１１は四角形としたが、本発明では、この孔の形状について円形または三角形または菱形または不規則の幾何形状にしてもよい。
実施例十六〜十九では、ガイド穴１１Ｃは円形としたが、本発明では、この穴の形状について四角形または三角形または菱形または不規則の幾何形状にしてもよい。
【００２６】
本発明のヘアピンによると、本体の有する孔またはスロットまたはクリップスロットに、小束の髪を通す場合、本ヘアピンを用いて使用者がヘアスタイルまたは造型を変化させ流行飾り物にすると、より生き生きと変化する効果が得られる。
【符号の説明】
【００２７】
１    ・・・本体１、
１Ｂ  ・・・本体１Ｂ、
１Ｃ  ・・・本体１Ｃ、
１Ｄ  ・・・本体１Ｄ、
１Ｅ  ・・・本体１Ｅ、
１０  ・・・円弧面、
１１  ・・・孔、
１５  ・・・壁、
１１０・・・延伸孔、
１１Ａ・・・スロット、
１１Ｂ・・・クリップスロット、
１１Ｃ・・・ガイド穴、
１２  ・・・軸座、
１３  ・・・スナップ台、
１４  ・・・下表面、
１６  ・・・髪の毛柱、
１５０・・・突体、
２    ・・・固設デバイス２、
２Ａ、２Ｂ、２Ｃ、２Ｄ、２Ｅ・・・固設デバイス、
２０  ・・・軸孔、
２１  ・・・支軸、
２２  ・・・スナップ部、
３    ・・・フックピン、
４    ・・・結合デバイス、
４０  ・・・ポン付けデバイス、
５    ・・・スナップデバイス、
５０、５１、５２、５３、５４、５５、５６、５７、５８、５９、６０、６１、６２  ・・・ヘアピン、
６    ・・・固定台、
７    ・・・軸孔、
７０  ・・・軸、
７１  ・・・穿孔。
【図１】
2012011121.tif 000003
【図２】
2012011121.tif 000004
【図３】
2012011121.tif 000005
【図４】
2012011121.tif 000006
【図５】
2012011121.tif 000007
【図６】
2012011121.tif 000008
【図７】
2012011121.tif 000009
【図８】
2012011121.tif 000010
【図９】
2012011121.tif 000011
【図１０】
2012011121.tif 000012
【図１１】
2012011121.tif 000013
【図１２】
2012011121.tif 000014
【図１３】
2012011121.tif 000015
【図１４】
2012011121.tif 000016
【図１５】
2012011121.tif 000017
【図１６】
2012011121.tif 000018
【図１７】
2012011121.tif 000019
【図１８Ａ】
2012011121.tif 000020
【図１８Ｂ】
2012011121.tif 000021
【図１８Ｃ】
2012011121.tif 000022
【図１８Ｄ】
2012011121.tif 000023
【図１８Ｅ】
2012011121.tif 000024
【図１９Ａ】
2012011121.tif 000025
【図１９Ｂ】
2012011121.tif 000026
【図１９Ｃ】
2012011121.tif 000027
【図１９Ｄ】
2012011121.tif 000028